(57)【要約】      （修正有）【課題】回路基板を簡便に固定できるとともに、衝撃や振動に対する保護対策を簡便に行うことを可能とする回路基板ケース固定用緩衝材を提供する。【解決手段】回路基板ケース固定用緩衝材５は、回路基板１を二部材係合型のケースに固定する際に用いる緩衝材であって、回路基板１の側端部をその上下各角部を含めて収容する側端部収容溝６を備えている構成とする。回路基板ケース固定用緩衝材５の材質は、緩衝性・弾力性のあるものであれば、ウレタン、合成ゴムを初め、いかなるものであってもよい。【選択図】図２
2018146317.tif 000002
【特許請求の範囲】
【請求項１】
回路基板を二部材係合型のケースに固定する際に用いる緩衝材であって、該回路基板の側端部をその上下各角部を含めて収容する側端部収容溝を備えていることを特徴とする、回路基板ケース固定用緩衝材。
【請求項２】
前記ケースの部材に備えられた回路基板収容部に収容固定される仕様に形成されていることを特徴とする、請求項１に記載の回路基板ケース固定用緩衝材。
【請求項３】
前記回路基板がジャイロセンサ付き基板であることを特徴とする、請求項１または２に記載の回路基板ケース固定用緩衝材。
【請求項４】
請求項１または２に記載の回路基板ケース固定用緩衝材が装着されている回路基板が、二部材係合型のケースまたはその部材に固定されていることを特徴とする、ケース固定済み回路基板。
【請求項５】
請求項１または２に記載の回路基板ケース固定用緩衝材が装着されているジャイロセンサ付き基板が、二部材係合型のケースに固定されていることを特徴とする、ケース固定済みジャイロセンサ。
【請求項６】
回路基板固定用の二部材係合型のケース、および請求項１ないし３のいずれかに記載の回路基板ケース固定用緩衝材からなることを特徴とする、回路基板固定用構造。
【請求項７】
請求項１ないし３のいずれかに記載の回路基板ケース固定用緩衝材を回路基板の両側端部に装着し、これを二部材係合型のケースの回路基板収容部に収容固定して行うことを特徴とする、回路基板固定方法。
【発明の詳細な説明】
【技術分野】
【０００１】
本発明は回路基板ケース固定用緩衝材、ケース固定済み回路基板、ケース固定済みジャイロセンサ、回路基板固定構造、および回路基板固定方法に係り、特に、ジャイロセンサ等において、簡便に防振構造を得ることのできる、回路基板ケース固定用緩衝材等に関するものである。
【背景技術】
【０００２】
ジャイロセンサについては従来、特許文献１など様々な技術的提案がなされているが、これが搭載された回路基板をケースに取り付ける際には、ねじや接着剤を使用することが一般的である。また、ケースに相互に嵌合する凹凸を有する二部材からなるケースも用いられており、この方法によれば、ねじや接着剤を使用せずに、ケース部材が直接基板に当接して押さえ込むことによって基板を固定することができ、簡便、便利である。
【先行技術文献】
【特許文献】
【０００３】
【特許文献１】特開平９−５０８５号公報「振動型ジャイロスコープ」
【発明の概要】
【発明が解決しようとする課題】
【０００４】
さて、ジャイロセンサは、使用用途によっては衝撃や振動に対する保護対策の必要な場合がある。しかし、上述した二部材からなるケースを用いる場合、ねじや接着剤を使用せずに基板を固定できる利点はあるが、ケース部材で直接センサ基板を押さえ込むため、衝撃や振動の影響を受けやすい構造となってしまう。かかる問題はジャイロセンサに限らず、衝撃・振動から保護すべき回路基板全般に共通する問題である。
【０００５】
そこで本発明が解決しようとする課題は、かかる従来技術の問題点をなくし、回路基板を簡便に固定できるとともに、衝撃や振動に対する保護対策を簡便に行うことを可能とする、回路基板ケース固定用緩衝材等を提供することである。
【課題を解決するための手段】
【０００６】
本願発明者は上記課題について検討した結果、二部材係合型のケースにジャイロセンサ等の回路基板を固定するのに先立ち、基板の両端に緩衝材を取り付け、ケースの上側部材と下側部材とで緩衝材を挟み込むことにより、回路基板を固定しつつ防振構造を形成できることに想到し、これに基づいて本発明を完成するに至った。すなわち、上記課題を解決するための手段として本願で特許請求される発明、もしくは少なくとも開示される発明は、以下の通りである。
【０００７】
〔１〕  回路基板を二部材係合型のケースに固定する際に用いる緩衝材であって、該回路基板の側端部をその上下各角部を含めて収容する側端部収容溝を備えていることを特徴とする、回路基板ケース固定用緩衝材。
〔２〕  前記ケースの部材に備えられた回路基板収容部に収容固定される仕様に形成されていることを特徴とする、〔１〕に記載の回路基板ケース固定用緩衝材。
〔３〕  前記回路基板がジャイロセンサ付き基板であることを特徴とする、〔１〕または〔２〕に記載の回路基板ケース固定用緩衝材。
〔４〕  〔１〕または〔２〕に記載の回路基板ケース固定用緩衝材が装着されている回路基板が、二部材係合型のケースまたはその部材に固定されていることを特徴とする、ケース固定済み回路基板。
【０００８】
〔５〕  〔１〕または〔２〕に記載の回路基板ケース固定用緩衝材が装着されているジャイロセンサ付き基板が、二部材係合型のケースに固定されていることを特徴とする、ケース固定済みジャイロセンサ。
〔６〕  回路基板固定用の二部材係合型のケース、および〔１〕ないし〔３〕のいずれかに記載の回路基板ケース固定用緩衝材からなることを特徴とする、回路基板固定用構造。
〔７〕  〔１〕ないし〔３〕のいずれかに記載の回路基板ケース固定用緩衝材を回路基板の両側端部に装着し、これを二部材係合型のケースの回路基板収容部に収容固定して行うことを特徴とする、回路基板固定方法。
【発明の効果】
【０００９】
本発明の回路基板ケース固定用緩衝材、ケース固定済み回路基板、ケース固定済みジャイロセンサ、回路基板固定構造、および回路基板固定方法は上述のように構成されるため、これらによれば、ジャイロセンサ付き基板等の回路基板を簡便に固定できるとともに、衝撃や振動に対する保護対策も簡便に行うことができる。すなわち本発明によれば、回路基板両端に取り付けた緩衝材が、ケースの嵌め合わせの際に加わる応力により基板を固定し、嵌め合わせ後には緩衝材特性により防振特性を有する。それにより、ねじや接着剤等を不要とし、かつ、別途緩衝材を配置する工数も削減することができる。特にジャイロセンサなど、衝撃や振動の影響を極力排除したい場合に、利用性が高い。
【図面の簡単な説明】
【００１０】
【図１】本発明回路基板ケース固定用緩衝材の構成を示す説明図である。
【図２】本発明回路基板ケース固定用緩衝材の使用状態を示す説明図である。
【図３】本発明回路基板ケース固定用緩衝材付きの回路基板を収容・固定できる仕様のケース下部部材の構成例を示す説明図である。
【図４】図３に示すケース下部部材に回路基板が固定された状態を示す説明図である。
【図５】本発明のケース固定済み回路基板の構成を示す説明図である。
【図６−１】本発明回路基板固定方法の実施例を示す写真図である（手順１）。
【図６−２】本発明回路基板固定方法の実施例を示す写真図である（手順２）。
【図６−３】本発明回路基板固定方法の実施例を示す写真図である（手順３）。
【発明を実施するための形態】
【００１１】
以下、図面により本発明を詳細に説明する。なお、各図に示す形態は例であり、本発明はかかる形態に限定されない。
図１は、本発明回路基板ケース固定用緩衝材の構成を示す説明図である。また、図２は、本発明回路基板ケース固定用緩衝材の使用状態を示す説明図である。各図中（ａ）は正面図、（ｂ）平面図、（ｃ）は側面図である。図示するように本回路基板ケース固定用緩衝材５は、回路基板１を二部材係合型のケースに固定する際に用いる緩衝材であって、回路基板１の側端部をその上下各角部を含めて収容する側端部収容溝６を備えていることを、主たる構成とする。
【００１２】
かかる構成により本発明の回路基板ケース固定用緩衝材５は、回路基板１の側端部をその上下各角部を含めて側端部収容溝６に収容するように回路基板１に装着されて用いられる。本回路基板ケース固定用緩衝材５は、回路基板１の両側端部に装着される。なお、回路基板１の側端部を上下各角部を含めて収容できる仕様である限り、サイズ等の仕様は限定されない。また、回路基板ケース固定用緩衝材５の材質は、緩衝性・弾力性のあるものであれば、ウレタン、合成ゴムを初め、いかなるものであってもよい。
【００１３】
図３は、本発明回路基板ケース固定用緩衝材付きの回路基板を収容・固定できる仕様のケース下部部材の構成例を示す説明図である。また、図４は、図３に示すケース下部部材に回路基板が固定された状態を示す説明図である。各図中（ａ）は正面図、（ｂ）平面図、（ｃ）は側面図であり、一部透視部分を含む。図示するように本回路基板ケース固定用緩衝材５は、これが両側端部に装着された状態の基板１が、ケース下部部材２に備えられた回路基板収容部７に収容固定される仕様に形成されているものとする。すなわち、回路基板ケース固定用緩衝材５とケース下部部材２の回路基板収容部７とは、相互に係合する形態、つまり前者が後者に収容・固定される形態に形成される。
【００１４】
かかる構成により、回路基板ケース固定用緩衝材５が両側端部に装着された状態の基板１は、ケース下部部材２に設けられた回路基板収容部７、７の基板収容溝９、９に回路基板ケース固定用緩衝材５、５が収容・固定され、もって回路基板１がケース下部部材２上に固定される。
【００１５】
回路基板１は回路基板ケース固定用緩衝材５、５によってその全角部が覆われているため、ケース下部部材２と直接接触しない。いわば、ケース下部部材２に対して浮いている状態である。しかも回路基板ケース固定用緩衝材５の緩衝性・弾力性により、ケース下部部材２において衝撃・振動が発生する場合でも、これを吸収し、回路基板１への影響を排除ないしは軽減することができる。
【００１６】
なお、回路基板ケース固定用緩衝材５、５が装着されている回路基板１が、二部材係合型のケースの下部部材２に固定されてなるケース固定済み回路基板１０も、本発明の範囲内である。
【００１７】
図５は、本発明のケース固定済み回路基板の構成を示す説明図である。図中（ａ）は正面図、（ｂ）平面図、（ｃ）は側面図であり、一部透視部分を含む。図４に示した状態はケース上部部材３がまだ装着されていない状態だったが、これにケース上部部材３が装着、固定されて、ケース固定済み回路基板２０となる。なお、下部部材２と上部部材３とは相互に嵌合する方式、その他の契合する仕様に形成されているものを用いることとする。
【００１８】
各図においては、回路基板１を平板状にて示しているが、この上には種々の回路や部品を搭載された形態とすることができる。たとえば回路基板１は、ジャイロセンサを搭載したジャイロセンサ付き基板とすることができる。この場合、ケース固定済み回路基板２０は、回路基板ケース固定用緩衝材が装着されているジャイロセンサ付き基板が二部材係合型のケースに固定されているケース固定済みジャイロセンサである。
【００１９】
なお、以上説明した回路基板固定用の二部材係合型のケース２、３、および回路基板ケース固定用緩衝材５により構成される回路基板固定用構造も、本発明の範囲内である。また、回路基板ケース固定用緩衝材５を回路基板１の両側端部に装着し、これを二部材係合型のケースの回路基板収容部７に収容固定して行う回路基板固定方法もまた、本発明の範囲内である。
【実施例】
【００２０】
本発明の実施例を説明するが、本発明がこれに限定されるものではない。
図６−１〜６−３は、本発明回路基板固定方法の実施例を示す写真図である。順に、手順１、２、３を示す。
〔手順１〕
回路基板ケース固定用緩衝材（ダンパ）６５には回路基板（センサ付き基板）６１を差し込む溝がついており、基板６１の両側に緩衝材６５が嵌め込まれる。
【００２１】
〔手順２〕
回路基板ケース固定用緩衝材６５が装着された基板６１は、ケース下部部材（モールドケース）６２と一体に形成されている回路基板収容部６７へ収納され、仮固定される。
【００２２】
〔手順３〕
ケース上部部材（金属ケース）６３および下部部材６３には嵌合せのための凹凸がついており、これらを嵌合せることによって、ケースは合体し、ケース固定済み回路基板（完成品）６２０となる。
【００２３】
以上の手順がなされることにより、回路基板ケース固定用緩衝材６５は、ケース上部部材６３および下部部材６２によって上下双方向から押え込まれる形となる。そのことにより、回路基板６１は、回路基板ケース固定用緩衝材６５の弾性により完全に固定される。
【００２４】
それとともに、ケース上部部材６３、下部部材６２における衝撃や振動も、回路基板ケース固定用緩衝材６５によって吸収され、回路基板６１は衝撃や振動から保護される。また、回路基板の両端に取り付ける緩衝材、それを押え込むケース上部、下部各部材から構成される簡易な構造であり、工程も簡単である。
【産業上の利用可能性】
【００２５】
本発明の回路基板ケース固定用緩衝材、ケース固定済み回路基板、ケース固定済みジャイロセンサ、回路基板固定構造、および回路基板固定方法によれば、回路基板を簡便に固定できるとともに、衝撃や振動に対する保護対策も簡便に行うことができる。したがって、センサ等分野および関連する全分野において、産業上利用性が高い発明である。
【符号の説明】
【００２６】
１…回路基板
２…ケース下部部材
３…ケース上部部材
４…ケース
５…回路基板ケース固定用緩衝材
６…側端部収容溝
７…回路基板収容部
８…基台
９…基板収容溝
１０…ケース固定済み回路基板（ケース部材固定済み）
２０…ケース固定済み回路基板
６１…回路基板（センサ付き基板）
６２…ケース下部部材（モールドケース）
６３…ケース上部部材（金属ケース）
６５…回路基板ケース固定用緩衝材（ダンパ）
６７…回路基板収容部
６１０…ケース部材固定済み回路基板（ダンパ＋基板＋モールドケース）
６２０…ケース固定済み回路基板（完成品）
Ｃ…ケーブル
【図１】
2018146317.tif 000003
【図２】
2018146317.tif 000004
【図３】
2018146317.tif 000005
【図４】
2018146317.tif 000006
【図５】
2018146317.tif 000007
【図６−１】
2018146317.tif 000008
【図６−２】
2018146317.tif 000009
【図６−３】
2018146317.tif 000010